(57)【要約】【課題】動物医療および健康相談のネッワークシステム及びビジネスモデルを提供する【解決手段】専門動物と専門分野に基づき登録された獣医師情報データーベースを作成して、サーバーに置いて利用者に提供する。利用者は、ネットワーク（通信網）を介して照会したい専門獣医師を選択し、照会したい動物に資する情報を入力画面に入力する。入力された情報はネットワーク（通信網）を介して専門獣医師に転送され、動物に関する有益な情報が利用者に直接提供される。【選択図】図１
2005063388.tif 000002
【特許請求の範囲】
【請求項１】
サーバーに獣医師情報データーベースと入力画面を有し、前記獣医師情報データーベースに獣医師名と、獣医師専門動物と、獣医師専門分野と、ｅ−メールアドレスと、整理番号とを有し、前記入力画面に利用者情報と、利用者が照会したい動物に資する情報とを有し、前記利用者情報に利用者名又は呼称と、住所と、ｅ−メールアドレスとを有し、前記利用者が照会したい動物に資する情報に動物の種類と、品種と、年齢と、名前と、静止画と、動画と、音声と、その他動物に資する情報とを有し、利用者は端末から通信回線を介して前記サーバーに接続し、前記入力画面に前記利用者情報と前記利用者が照会したい動物に資する情報を入力し、入力された情報は専門獣医師に通信回線を介して転送されることにより有益な情報を専門獣医師から利用者へ提供できるようにした動物医療および健康相談のネッワーク（通信網）システム及びビジネスモデル
【発明の詳細な説明】
【技術分野】
【０００１】  本発明はインターネットおよびパソコン通信等のネットワーク（通信網）を利用した動物医療および健康相談のネットワークシステム及びビジネスモデルに関する。
【背景技術】
【０００２】  人間を対象とした医療においては、インターネット上に医療情報の提供や医療従事者を紹介したホームページがあり、遠隔地医療として総合病院および大学病院間にネートワークを構築して医療情報提供を行う報告も見られる。【０００３】  一方、動物医療分野においては、地域の動物病院が単独で診察を実施しており、ネットワークを利用して専門獣医師からの情報を得るための動物医療および健康相談のネットワーク（通信網）システムおよびビジネスモデルは見られていない。
【発明の開示】
【発明が解決しようとする課題】
【０００４】  今日、動物医療の分野においても人間を対象とした医療と同様に、専門分野が細分化されている。このため、従来の個人開業の動物病院の形態では飼育者に対して各種動物の特殊疾病に対する十分な診断、治療、予防および健康相談を十分提供することが困難な状況になってきている。【０００５】  また、遠隔地域においては、首都圏にある専門化された総合病院および大学病院に診察を依頼することが立地条件などの問題から困難な状況にある。【０００６】  そこで、ネットワーク（通信網）を利用し、専門別に登録された獣医師データーベースを利用して動物の飼育者および獣医師に有益な情報を提供することにより、動物医療および健康相談に役立てることを課題とするものである。
【課題を解決するための手段】
【０００７】  サーバーに獣医師情報データーベースと入力画面を有し、前記獣医師情報データーベースに獣医師名と、獣医師専門動物と、獣医師専門分野と、住所と、ｅ−メールアドレスと、整理番号とを有し、前記入力画面に利用者情報と、利用者が照会したい動物に資する情報とを有し、前記利用者情報に利用者名又は呼称と、住所と、ｅ−メールアドレスとを有し、前記利用者が照会したい動物に資する情報に動物の種類と、品種と、年齢と、性別と、名前と、静止画と、動画と、音声と、その他動物に資する情報とを有し、利用者は端末から通信回線を介して前記サーバーに接続し、前記入力画面に前記利用者情報と前記利用者が照会したい動物に資する情報を入力し、入力された情報は専門獣医師に通信回線を介して転送されることにより有益な情報を専門獣医師から利用者へ提供できるようにしたものである。
【発明の効果】
【０００８】  本発明によれば、専門性に基づき登録された獣医師情報データーベースを利用して、利用者は遠隔地域においても、専門獣医師を選択することができ、その前記専門獣医師に相談することにより有益な情報の提供を受けることが可能となる。【０００９】  また、獣医師が獣医師情報データーベースを利用して専門性の高い獣医師からより有益な情報を受けることが可能となる。さらに、ネットワークを利用して動物の静止画と、動画と、音声と、その他動物に資する情報をメールに添付ファイルとして送信することにより、より客観的で精度の高い情報を利用者に提供することが可能となる。
【発明を実施するための最良の形態】
【００１０】  図１において、符号Ａは利用者、符号Ｂはサーバー、符号Ｃは専門獣医師である。この発明の目的とするところは、利用者が動物に関する専門的情報が欲しい時に、その専門獣医師から情報を直接得ることができるようにすることである。【００１１】  利用者Ａの端末には、利用者情報記録手段１、利用者情報送受信手段２が備えてある。【００１２】  前記情報記録手段１は、利用者の情報と、利用者が照会したい動物に資する情報とが含まれる。前記利用者の情報には、利用者の氏名、住所、電話番号、ｅ−メールアドレス、職業、会員番号、その他利用者に関する情報が記録されるものである。動物に資する情報には、動物の種類、品種、年齢、性別、体重、名前、病歴、治療歴、静止画、動画、音声、その他動物に関する情報が含まれている。これらの情報は利用者が取得して記録するものである。なお、この発明における利用者の必須情報は利用者の名前、住所、ｅ−メールアドレス、動物の種類、品種、年齢、性別、名前である。【００１３】  前記情報送受信手段２は、ｅ−メールを送受信できるものである。利用者は前記情報記録手段１の情報をｅ−メールを用いて送信することができるものである。【００１４】  サーバーＢには獣医師情報データーベース３と、入力画面４と、サーバー情報記録手段５、サーバー情報送受信手段６とが含まれる。【００１５】  獣医師情報データーベース３には、獣医師の氏名、専門動物、専門分野、住所、ｅ−メールアドレス、整理番号が記録されるものである。前記専門動物は、犬、猫、牛、馬、豚、めん羊、山羊、鳥、は虫類、両生類、魚類、野生動物、海洋動物、その他の動物が含まれている。前記専門分野は、循環器、血液及び造血器、消化器、呼吸器、感覚器（眼・耳）、生殖器、泌尿器、繁殖、新生子、脳神経、内分泌及び代謝、皮膚、中毒、ウイルス、細菌及び真菌、原虫及び寄生虫、一般外科、一般内科、整形外科、麻酔、リハビリテーション、スポーツ科学、放射線、栄養、歯、口腔、腫瘍、アレルギー、その他の分野が含まれる。【００１６】  利用者は獣医師情報に基づき獣医師を選択し、前記入力画面４に前記利用者情報と、前記動物に資する情報を入力する。入力された照会情報は、前記サーバー情報記録手段５に保存され、前記サーバー情報送受信手段６により、ｅ−メールの添付ファイルとして専門獣医師Ｃに照会するために転送することができるものである。【００１７】  専門獣医師Ｃの端末には、専門獣医師情報記録手段７、専門獣医師情報送受信手段８が備えてある。前記情報記録手段７には、利用者からの照会情報を記録および表示できるものである。前記情報送受信手段８は専門獣医師の回答情報をｅ−メールで前記サーバーＢへ送信するものである。【００１８】  前記サーバーＢへ送信された回答情報はサーバー情報記録手段５に保存され、サーバー情報送受信手段６により利用者Ａへ転送されるものである。【００１９】  前記期利用者Ａの端末、サーバーＢ、前記専門獣医師Ｃの端末相互間はインターネットなどの通信回線で接続可能としてある。【００２０】  以上のように構成された環境により、以下のような機能が得られる。動物医療および健康相談に関する情報を得たい利用者Ａが、サーバーを介して��物に資する情報を専門獣医師Ｃに照会するために送信することにより、専門獣医師Ｃから有益な情報を直接得ることができる。【００２１】  診察依頼を受けた獣医師である利用者Ａが、サーバーＢを介して動物に資する情報を専門の獣医師へ送信することにより、より客観的で精度の高い有益な情報を得ることが可能となる。
【図面の簡単な説明】
【００２２】
【図１】この発明の概念を示した平面図である。
【符号の説明】
【００２３】  Ａ利用者
Ｂサーバー
Ｃ専門獣医師
１利用者情報記録手段
２利用者情報送受信手段
３獣医師情報データーベース
４入力画面
５サーバー情報記録手段
６サーバー情報送受信手段
７専門獣医師情報記録手段
８専門獣医師情報送受信手段
【図１】
2005063388.tif 000003